(57)【要約】【課題】真偽判別装置等の撮像カメラに好適な広角レンズを提供する。【解決手段】負の屈折力を有し物体側に凸面を向けたメニスカス形状の第１レンズ１、正の屈折力を有する第２レンズ２、正の屈折力を有し両面が凸状の第３レンズ３、負の屈折力を有し物体側に凹面を向けると共に第３レンズ３に接合されたメニスカス形状の第４レンズ４、所定の口径を有する開口絞りＳＤ、負の屈折力を有し両面が凹状の第５レンズ５、正の屈折力を有し両面が凸状の第６レンズ６、正の屈折力を有し両面が凸状の第７レンズ７を、物体側から順に配列して広角レンズを構成する。これにより、非球面を採用することなく、近接撮影において広い画角が得られ、像側テレセントリック性が高く、鮮明で歪みの少ない画像が得られ、配置スペースの限られた機器に搭載するのに適した小型の広角レンズが得られる。【選択図】図１
2006301308.tif 000002
【特許請求の範囲】
【請求項１】
物体側から像面側に向けて順に配列された、
負の屈折力を有し物体側に凸面を向けたメニスカス形状の第１レンズと、
正の屈折力を有する第２レンズと、
正の屈折力を有し両面が凸状の第３レンズと、
負の屈折力を有し物体側に凹面を向けると共に前記第３レンズに接合されたメニスカス形状の第４レンズと、
所定の口径を有する開口絞りと、
負の屈折力を有し両面が凹状の第５レンズと、
正の屈折力を有し両面が凸状の第６レンズと、
正の屈折力を有し両面が凸状の第７レンズと、
からなる、ことを特徴とする広角レンズ。
【請求項２】
前記第６レンズの屈折率をＮ６及びアッベ数をν６、前記第７レンズの屈折力をＮ７及びアッベ数をν７とするとき、下記条件式（１），（２），（３），（４）、
（１）Ｎ６＞１．８５
（２）Ｎ７＞１．８５
（３）ν６＞４０
（４）ν７＞４０
を満足する、ことを特徴とする請求項１記載の広角レンズ。
【請求項３】
前記第６レンズ及び前記第７レンズは、同一のガラス材料により形成されている、
ことを特徴とする請求項２記載の広角レンズ。
【請求項４】
前記第５レンズの屈折力をＮ５及びアッベ数をν５とするとき、下記条件式（５），（６）、
（５）Ｎ５＞１．９０
（６）ν５＜２０
を満足する、ことを特徴とする請求項１ないし３いずれかに記載の広角レンズ。
【請求項５】
前記第２レンズ及び前記第５レンズは、同一のガラス材料により形成されている、
ことを特徴とする請求項４記載の広角レンズ。
【請求項６】
前記第３レンズは、前記第１レンズ又は前記第７レンズと同一のガラス材料により形成されている、
ことを特徴とする請求項１ないし５いずれかに記載の広角レンズ。
【発明の詳細な説明】
【技術分野】
【０００１】
本発明は、ＣＣＤ等の撮像素子を備えた撮像カメラに用いられる広角レンズに関し、特に被写体までの距離が数センチメートル〜十数センチメートルの場合に好適な読取用の広角レンズに関する。
【背景技術】
【０００２】
紙幣や身分証明書等に各種の光を照射し、レンズを通してそれら被写体の画像をＣＣＤ上に結像させ、その撮像データに基づいて、自動的に又は目視にてその真偽を判別する真偽判別装置が知られている。
このような装置に要求されるレンズとしては、被写体に記されている文字や画像を正しく判読させるために、近距離撮影において鮮明で歪みの少ない画像が得られるのが好ましい。また、画像の周辺が暗くなる、いわゆるシェーディング現象を避けるために、像側テレセントリック性が高いことが必要である。さらに、読み取り範囲を広くできると同時に装置を小型化するために、広い画角を有し、共役長が短いことが好ましい。
【０００３】
これらの要求を満たす従来のレンズとしては、近距離での撮影を主眼としたものではないが、少なくとも一つの面を非球面レンズとした広角レンズが知られている（例えば、特許文献１、特許文献２、特許文献３参照）。
【０００４】
【特許文献１】特開平５−１５０１５７号公報
【特許文献２】特開平１１−１４２７２８号公報
【特許文献３】特開平１１−１９４２６６号公報
【発明の開示】
【発明が解決しようとする課題】
【０００５】
ところで、非球面レンズを採用した広角レンズでは、光学特性を向上させることができるものの、金型に関わる製造コストが高くなり、特に小規模の生産量では製品コストが高くなって好ましくない。特に、年間に数百台程度生産される真偽判別装置等に用いられる広角レンズとしては、できるだけコストを抑えつつ、上記の要求を満たす広角レンズが求められている。
【０００６】
本発明は、上記の点に鑑みて成されたものであり、その目的とするところは、低コスト化を図りつつ、近距離撮影において鮮明で歪みの少ない画像が得られ、画像の周辺部におけるシェーディング現象を防止でき、像側テレセントリック性が高く、読み取り範囲を広くすると同時に装置を小型化できる広角レンズを提供することにある。
【課題を解決するための手段】
【０００７】
本発明の広角レンズは、物体側から像面側に向けて順に配列された、負の屈折力を有し物体側に凸面を向けたメニスカス形状の第１レンズと、正の屈折力を有する第２レンズと、正の屈折力を有し両面が凸状の第３レンズと、負の屈折力を有し物体側に凹面を向けると共に第３レンズに接合されたメニスカス形状の第４レンズと、所定の口径を有する開口絞りと、負の屈折力を有し両面が凹状の第５レンズと、正の屈折力を有し両面が凸状の第６レンズと、正の屈折力を有し両面が凸状の第７レンズと、からなることを特徴としている。
この構成によれば、非球面を採用することなく、近接撮影において広い画角が得られ、像側テレセントリック性が高く、鮮明で歪みの少ない画像が得られ、配置スペースの限られた機器に搭載するのに適した小型の広角レンズが得られる。
すなわち、第３レンズ〜第６レンズが主レンズとして機能しており、テッサータイプレンズを倒置させた形態を採用しているため、非点収差におけるサジタル平面とメリジオナル平面との隔差を小さくでき、又、第６レンズを通過した後の周辺光と光軸の距離を大きくすることができ、像面までの距離を比較的短くしつつ像側テレセントリック性を向上させることができる。また、テッサータイプレンズを倒置した形態をレンズ系の中央に配置することにより、歪曲収差の増大を防止できる。
また、第１レンズの強い負の屈折力によって、広い画角を確保することができ、第２レンズによって、第１レンズで取り込んだ光線の進行方向を補正して第３レンズに入射可能な角度に修正すると同時に第１レンズで生じた負の歪曲収差を良好に補正でき、さらに、第７レンズによって、第６レンズを通過した光線を屈折させて光軸に一層平行な方向に導く（像側テレセントリック性を高める）と共に像面（ＣＣＤ面）上に鮮明で歪みの少ない画像を結像させることができる。
【０００８】
上記構成において、第６レンズの屈折率をＮ６及びアッベ数をν６、第７レンズの屈折力をＮ７及びアッベ数をν７とするとき、次の条件式（１），（２），（３），（４）、
（１）Ｎ６＞１．８５
（２）Ｎ７＞１．８５
（３）ν６＞４０
（４）ν７＞４０
を満足する、構成を採用することができる。
この構成によれば、第６レンズ及び第７レンズに高屈折率の材料を用いると共に両レンズに屈折力を分散させることにより、第６レンズ及び第７レンズの物体側の面の曲率半径が過度に小さくなるのを避けて適度な大きさに形成でき、コマ収差等の諸収差を良好に補正しつつ、像側テレセントリック性を高めることができ、又、色収差の発生を小さく抑えることができる。
【０００９】
上記構成において、第６レンズ及び第７レンズは、同一のガラス材料により形成されている、構成を採用することができる。
この構成によれば、第６レンズ及び第７レンズとして、同一のガラス材料を使用することで、材料費用及びコーティング費用等を低減できる。
【００１０】
上記構成において、第５レンズの屈折力をＮ５及びアッベ数をν５とするとき、次の条件式（５），（６）、
（５）Ｎ５＞１．９０
（６）ν５＜２０
を満足する、構成を採用することができる。
この構成によれば、
この構成によれば、第５レンズの負の屈折力を、第３レンズ及び第４レンズ、第６レンズ及び第７レンズの正の屈折力に対して適切にバランスさせつつ、第５レンズを容易に製造することができ、低コスト化できる。また、第３レンズ及び第４レンズ、第６レンズ及び第７レンズにより生じる色収差を相殺して全体としての色収差を適切に補正することができる。
【００１１】
上記構成において、第２レンズ及び第５レンズは、同一のガラス材料により形成されている、構成を採用することができる。
この構成によれば、第２レンズ及び第５レンズとして、同一のガラス材料を使用することで、材料費用及びコーティング費用等を低減できる。
【００１２】
上記構成において、第３レンズは、第１レンズ又は第７レンズと同一のガラス材料により形成されている、構成を採用することができる。
この構成によれば、第３レンズ及び第１レンズとして又は第３レンズ及び第７レンズとして、同一のガラス材料を使用することで、材料費用及びコーティング費用等を低減できる。
【発明の効果】
【００１３】
上記構成の広角レンズによれば、近距離撮影において鮮明で歪みの少ない画像を得ることができ、画像の周辺部におけるシェーディング現象を防止でき、像側テレセントリック性が高く、読み取り範囲を広くでき、小型の広角レンズを安価に提供することができる。したがって、紙幣や身分証明書等の画像の真偽判別装置は勿論のこと、広い画角を必要とし、配置スペースの限られた機器においても、撮像カメラの広角レンズとして適用することができる。
【発明を実施するための最良の形態】
【００１４】
以下、本発明の実施の形態について、添付図面を参照しつつ説明する。
図１及び図２は、本発明に係る広角レンズの一実施形態を示すものであり、図１は基本構成図、図２は光路図である。
この実施形態に係る広角レンズは、図１に示すように、物体側から像面側に向けて、負の屈折力を有し物体側に凸面を向けたメニスカス形状の第１レンズ１、正の屈折力を有する第２レンズ２、正の屈折力を有し両面が凸状の第３レンズ３、負の屈折力を有し物体側に凹面を向けると共に第３レンズ３に接合されたメニスカス形状の第４レンズ４、負の屈折力を有し両面が凹状の第５レンズ５、正の屈折力を有し両面が凸状の第６レンズ６、正の屈折力を有し両面が凸状の第７レンズ７が、順次に配列されている。
この配列構成において、第４レンズ４と第５レンズ５との間でかつ第５レンズ５寄りには、所定の口径を有する開口絞りＳＤが配置されている。
【００１５】
ここで、第１レンズ１ないし第４レンズ４、開口絞りＳＤ、第６レンズ、第７レンズ７、像面Ｐの配列構成においては、図１に示すように、各々の面をＳｉ（ｉ＝１〜１４）、それぞれの面Ｓｉの曲率半径をＲｉ（ｉ＝１〜１４）、ｄ線に対する第ｉレンズの屈折率をＮｉ及びアッベ数をνｉ（ｉ＝１〜７）で表す。また、第１レンズ１〜像面Ｐまでのそれぞれの光軸Ｌ方向における間隔（厚さ、空気間隔）を、図１に示すように、Ｄｉ（ｉ＝１〜１４）で表す。
【００１６】
第１レンズ１は、ガラス材料により形成され、負の屈折力をもつように、物体側の面Ｓ１（球面）が凸状でかつ像面側の面Ｓ２（球面）が凹状をなすメニスカス形状のレンズである。
第２レンズ２は、ガラス材料により形成され、正の屈折力をもつように、物体側の面Ｓ３（球面）が凹状でかつ像面側の面Ｓ４（球面）が凸状をなすメニスカス形状のレンズである。
第３レンズ３は、ガラス材料により形成され、正の屈折力をもつように、物体側の面Ｓ５（球面）が凸状でかつ像面側の面Ｓ６（球面）が凸状をなす両凸形状のレンズである。
第４レンズ４は、ガラス材料により形成され、負の屈折力をもつように、物体側の面Ｓ６（球面）が凹状でかつ像面側の面Ｓ７（球面）が凸状をなすメニスカス形状のレンズであり、第３レンズ３に接合されている。
第５レンズ５は、ガラス材料により形成され、負の屈折力をもつように、物体側の面Ｓ９（球面）が凹状でかつ像面側の面Ｓ１０（球面）が凹状をなす両凹形状のレンズである。
第６レンズ６は、ガラス材料により形成され、正の屈折力をもつように、物体側の面Ｓ１１（球面）が凸状でかつ像面側の面Ｓ１２（球面）が凸状をなす両凸形状のレンズである。
第７レンズ７は、ガラス材料により形成され、正の屈折力をもつように、物体側の面Ｓ１３（球面）が凸状でかつ像面側の面Ｓ１４（球面）が凸状をなす両凸形状のレンズである。
【００１７】
この広角レンズにおいては、図２に示すように、第１レンズ１は、強い負の屈折力によって広い画角を確保し、第２レンズ２は、第１レンズ１によって取り込まれた光線の進行方向を補正して第３レンズ３に入射可能な角度に修正すると同時に、第１レンズ１で生じた負の歪曲収差を補正する。
そして、第３レンズ３、第４レンズ４、第５レンズ、及び第６レンズ６は、主レンズとして機能するものであり、いわゆるテッサータイプレンズを倒置させた形態をなし、サジタル平面とメリジオナル平面とでの隔差が小さくなるように非点収差を良好に補正しつつ、第６レンズ６を通過した後の周辺光と光軸Ｌの距離を大きくして、像面Ｐまでの距離を比較的短くしつつ像側テレセントリック性を高めている。
また、テッサータイプレンズを倒置した形態（第３レンズ〜第６レンズ６）をレンズ系の中央に配置したことにより、歪曲収差の増大を防止している。
さらに、第７レンズ７は、像側テレセントリック性を高めるものであり、第６レンズ６を通過した光線を屈折させて光軸Ｌに対してより一層平行な方向に導くと同時に、像面Ｐ（ＣＣＤの結像面）上に、被写体像を結像させる。
【００１８】
上記構成においては、第６レンズ６の屈折率Ｎ６及びアッベ数ν６、第７レンズ７の屈折力Ｎ７及びアッベ数ν７が、好ましくは、次の条件式（１），（２），（３），（４）、
（１）Ｎ６＞１．８５
（２）Ｎ７＞１．８５
（３）ν６＞４０
（４）ν７＞４０
を満足するように形成される。
【００１９】
条件式（１），（２）は、第６レンズ６及び第７レンズ７の屈折率を規定したものであり、この条件式（１），（２）を満たすことにより、第６レンズ６及び第７レンズ７として、高屈折率の材料を用いると共に屈折力を分散させて、第６レンズ６及び第７レンズ７の物体側の面Ｓ１１，Ｓ１３の曲率半径Ｒ１１，Ｒ１３が過度に小さくなるのを避けて適度な大きさに形成でき、コマ収差等の諸収差を良好に補正しつつ、像側テレセントリック性を高めることができる。仮に、この条件から外れると、屈折率を補うためには、面Ｓ１１，Ｓ１３の曲率半径Ｒ１１，Ｒ１３を過度に小さくする必要があり、それ故に、レンズのコバ厚が小さくなり、コマ収差も増大してしまうが、この条件を満たすことにより、所定のコバ厚を確保しつつ、コマ収差等の諸収差を良好に補正できる。
【００２０】
条件式（３），（４）は、第６レンズ６及び第７レンズ７のアッベ数を規定したものであり、この条件式（３），（４）を満たすことにより、色収差の発生を小さく抑えることができる。すなわち、この条件から外れると、このレンズで生じた色収差を補正するために、第５レンズ５としてアッベ数が非常に小さいものが必要になるが、この条件を満たすことにより、第５レンズ５を容易に設定できると同時に、色収差を良好に補正することができる。
【００２１】
また、上記構成においては、第６レンズ６と第７レンズ７とが、同一のガラス材料（すなわち、Ｎ６＝Ｎ７、ν６＝ν７）により形成されるのが好ましい。
第６レンズ６及び第７レンズ７のレンズ材料として、同一のガラス材料を使用することで、材料費用及びコーティング費用等を低減できる。
【００２２】
また、上記構成においては、第５レンズ５の屈折力Ｎ５及びアッベ数ν５が、好ましくは、次の条件式（５），（６）、
（５）Ｎ５＞１．９０
（６）ν５＜２０
を満足するように形成される。
条件式（５）は、第５レンズ５の屈折率を規定したものであり、この条件式（５）を満たすことにより、第５レンズ５の負の屈折力を、第３レンズ３及び第４レンズ４、第６レンズ６及び第７レンズ７の正の屈折力に対して適切にバランスさせつつ、第５レンズ５を容易に製造することができ、低コスト化できる。すなわち、この条件式（５）から外れると、屈折力を補うために、第５レンズ５の両面Ｓ９，Ｓ１０の曲率半径Ｒ９，Ｒ１０を極端に小さくする必要があり、製造し難い形状になって製造コストが増加してしまうが、この条件式（５）を満たすことにより、他のレンズとの屈折力をバランスさせつつ製造し易い形状にでき、製造コストを低減できる。
条件式（６）は、第５レンズ５のアッベ数を規定したものであり、この条件式（６）を満たすことにより、第３レンズ３及び第４レンズ４、第６レンズ６及び第７レンズ７により生じる色収差を相殺して、全体としての色収差を適切に補正することができる。
【００２３】
また、上記構成においては、第２レンズ２と第５レンズ５とが、同一のガラス材料（すなわち、Ｎ２＝Ｎ５、ν２＝ν５）により形成されるのが好ましい。
第２レンズ２及び第５レンズ５のレンズ材料として、同一のガラス材料を使用することで、材料費用及びコーティング費用等を低減できる。
【００２４】
さらに、上記構成においては、第３レンズ３が、第１レンズ１又は第７レンズ７と同一のガラス材料（すなわち、Ｎ３＝Ｎ１又はＮ７、ν３＝ν１又はν７）により形成されるのが好ましい。
第３レンズ及び第１レンズ１のレンズ材料として、又は、第３レンズ３及び第７レンズ７のレンズ材料として、同一のガラス材料を使用することで、さらに材料費用及びコーティング費用等を低減できる。
上記構成からなる広角レンズの具体的な数値による実施例を、実施例１として以下に示す。
【実施例１】
【００２５】
実施例１における条件式（１）〜（６）の数値データ、第１レンズ１〜第７レンズ７の主な仕様諸元、種々の数値データ（設定値）は以下の通りである。
＜条件式の値＞
（１）Ｎ６＝１．８８３００＞１．８５
（２）Ｎ７＝１．８８３００＞１．８５
（３）ν６＝４０．８＞４０
（４）ν７＝４０．８＞４０
（５）Ｎ５＝１．９２２８６＞１．９０
（６）ν５＝１８．９＜２０
【００２６】
＜仕様諸元＞
波長１（主波長）＝５８７．６ｎｍ、波長２＝９５０．０ｎｍ、波長３＝８５０．０ｎｍ、波長４＝６５６．３ｎｍ、波長５＝４８６．１ｎｍ、レンズ系の焦点距離＝１００ｍｍ、画角（２ω）＝９０．０°、第１レンズ１の外形寸法φ１＝５２２ｍｍ、第２レンズ２の外形寸法φ２＝４２８ｍｍ、第３レンズ３の外形寸法φ３＝２７７ｍｍ、第４レンズ４の外形寸法φ４＝３４５ｍｍ、第５レンズ５の外形寸法φ５＝２１３ｍｍ、第６レンズ６の外形寸法φ６＝２１３ｍｍ、第７レンズ７の外形寸法φ７＝２４１ｍｍ、開口絞りＳＤの絞り口径＝４４．２ｍｍ、Ｆナンバー＝３．０、共役長＝２５３０ｍｍ、撮影倍率＝０．０５４０７
【００２７】
＜曲率半径＞
Ｒ１＝１５５０．００ｍｍ、Ｒ２＝１６１．８０ｍｍ、Ｒ３＝−８６２２．００ｍｍ、Ｒ４＝−４２２．３０ｍｍ、Ｒ５＝９２７．３０ｍｍ、Ｒ６＝−１５９．６０ｍｍ、Ｒ７＝−２９５．５０ｍｍ、Ｒ８＝∞、Ｒ９＝−１８２．００ｍｍ、Ｒ１０＝３０２．３０ｍｍ、Ｒ１１＝７５９．３０ｍｍ、Ｒ１２＝−１４０．９０ｍｍ、Ｒ１３＝３７６．００ｍｍ、Ｒ１４＝−９７３．３０ｍｍ
【００２８】
＜光軸上の間隔＞
Ｄ１＝３６．１５０ｍｍ、Ｄ２＝９３．５５０ｍｍ、Ｄ３＝１２０．５００ｍｍ、Ｄ４＝２１．０６０ｍｍ、Ｄ５＝１１２．５００ｍｍ、Ｄ６＝３２．１３０ｍｍ、Ｄ７＝６３．５２０ｍｍ、Ｄ８＝１１．３１０ｍｍ、Ｄ９＝３２．１３０ｍｍ、Ｄ１０＝４．０１７ｍｍ、Ｄ１１＝８８．３６０ｍｍ、Ｄ１２＝４．６７５ｍｍ、Ｄ１３＝５６．２３０ｍｍ、Ｄ１４＝１３９．８００ｍｍ
【００２９】
＜屈折率（Ｎｄ）＞
Ｎ１＝１．７７２５０、Ｎ２＝１．９２２８６、Ｎ３＝１．７７２５０、Ｎ４＝１．８０５１８、Ｎ５＝１．９２２８６、Ｎ６＝１．８８３００、Ｎ７＝１．８８３００
＜アッベ数（νｄ）＞
ν１＝４９．６、ν２＝１８．９、ν３＝４９．６、ν４＝２５．４、ν５＝１８．９、ν６＝４０．８、ν７＝４０．８
【００３０】
この実施例１における球面収差、非点収差、歪曲収差に関する収差図は、図３に示されるような結果となる。尚、図３の非点収差において、Ｓはサジタル平面での収差、Ｍはメリジオナル平面での収差を示す。
また、この実施例１においては、可視光から赤外光までの広範囲に対応したレンズ系であり、画角（２ω）が９０°であるにも拘わらず、歪曲収差が−１０パーセント程度に抑えられている。このように、非球面レンズを用いることなく、近接撮影において広い画角を有し、像側テレセントリック性が高く、かつ、鮮明で歪みの少ない画像が得られる広角レンズを少量でも低コストで提供することができる。
【００３１】
図４及び図５は、本発明に係る広角レンズの他の実施形態を示すものであり、図４は基本構成図、図５は光路図である。この広角レンズにおいては、第２レンズ２´が、ガラス材料により形成され、正の屈折力をもつように、物体側の面Ｓ３（球面）が凸状でかつ像面側の面Ｓ４（球面）が凸状をなす両凸形状のレンズを採用し、それぞれのレンズの仕様（寸法等）を変更した以外は、前述の実施形態と同様の構成をなすものである。
この構成からなる広角レンズの具体的な数値による実施例を、実施例２として以下に示す。
【実施例２】
【００３２】
実施例２における条件式（１）〜（６）の数値データ、第１レンズ１、第２レンズ２´、第３レンズ３〜第７レンズ７の主な仕様諸元、種々の数値データ（設定値）は以下の通りである。
＜条件式の値＞
（１）Ｎ６＝１．８８３００＞１．８５
（２）Ｎ７＝１．８８３００＞１．８５
（３）ν６＝４０．８＞４０
（４）ν７＝４０．８＞４０
（５）Ｎ５＝１．９２２８６＞１．９０
（６）ν５＝１８．９＜２０
【００３３】
＜仕様諸元＞
波長１（主波長）＝５８７．６ｎｍ、波長２＝９５０．０ｎｍ、波長３＝８５０．０ｎｍ、波長４＝６５６．３ｎｍ、波長５＝４８６．１ｎｍ、レンズ系の焦点距離＝１００ｍｍ、画角（２ω）＝９０．０°、第１レンズ１の外形寸法φ１＝５１５ｍｍ、第２レンズ２´の外形寸法φ２＝４２０ｍｍ、第３レンズ３の外形寸法φ３＝２７４ｍｍ、第４レンズ４の外形寸法φ４＝３４１ｍｍ、第５レンズ５の外形寸法φ５＝２１０ｍｍ、第６レンズ６の外形寸法φ６＝２１０ｍｍ、第７レンズ７の外形寸法φ７＝２３８ｍｍ、開口絞りＳＤの絞り口径＝４３．６ｍｍ、Ｆナンバー＝３．０、共役長＝２４９８ｍｍ、撮影倍率＝０．０５４０７
【００３４】
＜曲率半径＞
Ｒ１＝１６４１．００ｍｍ、Ｒ２＝１６３．３０ｍｍ、Ｒ３＝１９７６．００ｍｍ、Ｒ４＝−４４４．３０ｍｍ、Ｒ５＝１８８０．００ｍｍ、Ｒ６＝−１７４．１０ｍｍ、Ｒ７＝−３１１．３０ｍｍ、Ｒ８＝∞、Ｒ９＝−１７８．８０ｍｍ、Ｒ１０＝３０２．１０ｍｍ、Ｒ１１＝８１５．６０ｍｍ、Ｒ１２＝−１３９．９０ｍｍ、Ｒ１３＝４１９．００ｍｍ、Ｒ１４＝−６４１．５０ｍｍ
【００３５】
＜光軸上の間隔＞
Ｄ１＝３５．６８０ｍｍ、Ｄ２＝９１．５００ｍｍ、Ｄ３＝１１８．９００ｍｍ、Ｄ４＝３６．６１０ｍｍ、Ｄ５＝８７．２３０ｍｍ、Ｄ６＝３１．７２０ｍｍ、Ｄ７＝５１．８９０ｍｍ、Ｄ８＝１１．５６０ｍｍ、Ｄ９＝３１．７２０ｍｍ、Ｄ１０＝３．９６０ｍｍ、Ｄ１１＝８７．２３０ｍｍ、Ｄ１２＝４．６７５ｍｍ、Ｄ１３＝５５．５１０ｍｍ、Ｄ１４＝１３８．０００ｍｍ
【００３６】
＜屈折率（Ｎｄ）＞
Ｎ１＝１．７４３２０、Ｎ２＝１．９２２８６、Ｎ３＝１．８８３００、Ｎ４＝１．９２２８６、Ｎ５＝１．９２２８６、Ｎ６＝１．８８３００、Ｎ７＝１．８８３００
＜アッベ数（νｄ）＞
ν１＝４９．３、ν２＝１８．９、ν３＝４０．８、ν４＝１８．９、ν５＝１８．９、ν６＝４０．８、ν７＝４０．８
【００３７】
この実施例２における球面収差、非点収差、歪曲収差に関する収差図は、図６に示されるような結果となる。尚、図６の非点収差において、Ｓはサジタル平面での収差、Ｍはメリジオナル平面での収差を示す。
また、この実施例２においては、可視光から赤外光までの広範囲に対応したレンズ系であり、画角（２ω）が９０°であるにも拘わらず、歪曲収差が−１０パーセント程度に抑えられている。このように、非球面レンズを用いることなく、近接撮影において広い画角を有し、像側テレセントリック性が高く、かつ、鮮明で歪みの少なく画像が得られる広角レンズを少量でも低コストで提供することができる。
【産業上の利用可能性】
【００３８】
以上述べたように、本発明の広角レンズは、広い画角を有し、近距離撮影において鮮明で歪みの少ない画像を得ることができるため、紙幣や身分証明書等の画像の真偽判別装置に適用できるのは勿論のこと、広い画角を必要とし配置スペースの限られた光学機器に搭載される撮像カメラの広角レンズとしても有用である。
【図面の簡単な説明】
【００３９】
【図１】本発明に係る広角レンズの一実施形態を示す構成図である。
【図２】図１に示す広角レンズの光路図である。
【図３】実施例１に係る広角レンズにおける球面収差、非点収差、歪曲収差の各収差図である。
【図４】本発明に係る広角レンズの他の実施形態を示す構成図である。
【図５】図４に示す広角レンズの光路図である。
【図６】実施例２に係る広角レンズにおける球面収差、非点収差、歪曲収差の各収差図である。
【符号の説明】
【００４０】
１  第１レンズ
２，２´  第２レンズ
３  第３レンズ
４  第４レンズ
５  第５レンズ
６  第６レンズ
７  第７レンズ
Ｐ  像面
Ｌ  光軸
Ｄ１〜Ｄ１４  光軸上の間隔
Ｒ１〜Ｒ１４  曲率半径
Ｓ１〜Ｓ１４  面
Ｎ５  第５レンズの屈折率
Ｎ６  第６レンズの屈折率
Ｎ７  第７レンズの屈折率
ν５  第２レンズのアッベ数
ν６  第６レンズのアッベ数
ν７  第７レンズのアッベ数
【図１】
2006301308.tif 000003
【図２】
2006301308.tif 000004
【図３】
2006301308.tif 000005
【図４】
2006301308.tif 000006
【図５】
2006301308.tif 000007
【図６】
2006301308.tif 000008